(57)【特許請求の範囲】
【請求項１】
ヘッドセットコンピュータの動作を制御する方法であって、
差し迫った緊急事態を示す入力であって、本来のユーザからの一定の入力を前記ヘッドセットコンピュータの内部または外部の受信ユニットが受信することと、
前記本来のユーザからの前記受信した一定の入力に応じて、緊急対応モードを前記ヘッドセットコンピュータの内部または外部の対応作動ユニットが作動させて、それによって、標準的なヘッドセットコンピュータの機能は、前記本来のユーザまたは他のユーザのどちらかが用いるために作動させたままであるが、以下の機能を行わせることとを含み、
前記機能は、
オーディオまたはビデオストリームのうちの少なくとも１つを取り込むことと、
位置情報を決定することと、
前記ヘッドセットコンピュータの所定の近傍内の１つ以上のワイヤレスデバイスを特定し、前記ヘッドセットコンピュータを前記特定した１つ以上のワイヤレスデバイスのうちの少なくとも１つと自動的にペアリングし、前記特定した１つ以上のワイヤレスデバイスのうちのペアリングされたものから、個人情報をコピーすることと、
前記取り込んだオーディオもしくはビデオストリーム、および前記位置情報のうちの少なくとも１つを、サービスプロバイダ、法的執行機関、およびセキュリティ組織のうちの少なくとも１つに転送することである、
方法。
【請求項２】
請求項１に記載の方法において、前記機能は、取り込んだオーディオボイスデータに関するバイオメトリクスを検出してブロードキャストすることをさらに含む、
方法。
【請求項３】
請求項１または２に記載の方法において、前記機能は、前記他のユーザによってなされたパスワードの変更をオーバーライドすることをさらに含む、
方法。
【請求項４】
請求項１から３のいずれか一項に記載の方法において、前記本来のユーザからの前記受信した一定の入力は、口頭によるフレーズ、頭部の動き、またはハンドジェスチャを含む、
方法。
【請求項５】
請求項１から４のいずれか一項に記載の方法において、前記本来のユーザからの前記受信した一定の入力は、画像、音、地理的位置、周りを含めた全体的位置、方位、大気状態、圧力、健康状態、環境、エネルギー、加速度、高度、運動、速度、速さ、または、可視光、赤外線および紫外線を含む光、を含む、
方法。
【請求項６】
請求項１から５のいずれか一項に記載の方法において、前記機能の１つ以上は、前記他のユーザが、前記１つ以上の機能が行われることに気付かないように、内密の様式で行われる、
方法。
【請求項７】
ヘッドセットコンピュータの内部または外部において、当該ヘッドセットの動作を制御する装置であって、
差し迫った緊急事態を示す入力であって、本来のユーザからの一定の入力を受信する受信ユニットと、
前記本来のユーザからの前記受信した一定の入力に応じて、緊急対応モードを作動させて、それによって、標準的なヘッドセットコンピュータの機能は、前記本来のユーザまたは他のユーザのどちらかが用いるために作動させたままであり、以下の機能を行わせる対応作動ユニットとを備え、
前記機能は、
オーディオまたはビデオストリームのうちの少なくとも１つを取り込むことと、
位置情報を決定することと、
前記ヘッドセットコンピュータの所定の近傍内で１つ以上のワイヤレスデバイスを特定し、前記ヘッドセットコンピュータを前記特定した１つ以上のワイヤレスデバイスのうちの少なくとも１つと自動的にペアリングし、前記特定した１つ以上のワイヤレスデバイスのうちのペアリングされたものから、個人情報をコピーすることと、
前記取り込んだオーディオもしくはビデオストリーム、および前記位置情報のうちの少なくとも１つを、サービスプロバイダ、法的執行機関、およびセキュリティ組織のうちの少なくとも１つに転送することである、
装置。
【請求項８】
請求項７に記載の装置において、前記対応作動ユニットは、取り込んだオーディオボイスデータに関するバイオメトリクスを検出してブロードキャストする、
装置。
【請求項９】
請求項７または８に記載の装置において、前記対応作動ユニットは、前記他のユーザによってなされたパスワードの変更をオーバーライドする、
装置。
【請求項１０】
請求項７から９のいずれか一項に記載の装置において、前記本来のユーザからの前記受信した一定の入力は、口頭によるフレーズ、頭部の動き、またはハンドジェスチャを含む、
装置。
【請求項１１】
請求項７から１０のいずれか一項に記載の装置において、前記本来のユーザからの前記受信した一定の入力は、画像、音、地理的位置、周りを含めた全体的位置、方位、大気状態、圧力、健康状態、環境、エネルギー、加速度、高度、運動、速度、速さ、または、可視光、赤外線および紫外線を含む光、を含む、
装置。
【請求項１２】
請求項７から１１のいずれか一項に記載の装置において、前記対応作動ユニットは、前記他のユーザが、前記１つ以上の機能が行われることに気付かないように、内密の様式で前記１つ以上の機能を行う、
装置。
【発明の詳細な説明】
【関連出願】
【０００１】
本願は、２０１２年７月２５日に出願された米国仮特許出願第６１／６７５，５４６号の優先権を主張する。上記の出願の全内容は参照により本明細書に組み込まれる。
【背景技術】
【０００２】
ノートＰＣ、スマートフォン、およびタブレットコンピューティングデバイス等のモバイルコンピューティングデバイスは、現在、ビジネスと私生活の両方において、データを生成、分析、伝達および消費するために用いられる一般的なツールとなっている。高速ワイヤレス通信技術のユビキタス化とともに、デジタル情報へのアクセスの容易さが増すため、消費者は、モバイルデジタルライフスタイルを享受し続けている。モバイルコンピューティングデバイスの一般的な用途は、多くの場合、デバイスにワイヤレスでストリーム配信される大量の高解像度のコンピュータグラフィックス情報およびビデオコンテンツの表示を含む。これらのデバイスは、典型的には、表示スクリーンを含むが、そのようなデバイスの物理的な大きさが可動性の向上のために制限されるため、高解像度の大型ディスプレイの好ましい視覚体験は、そのようなモバイルデバイスでは容易に再現され得ない。上述のデバイスのタイプの別の欠点は、ユーザインターフェースが、手に依存するものであり、典型的には、ユーザが、物理的または仮想的なキーボードまたはタッチスクリーンディスプレイを用いてデータ入力や選択を行う必要があることである。結果として、消費者は、現在、手に依存するモバイルデバイスを拡張するまたはこれに取って代わる、ハンズフリーの高品質で携帯可能なカラー表示のソリューションを求めている。
【発明の概要】
【０００３】
本願は、潜在的に安全でないまたは個人的に悪条件の環境にいる際に、個人がヘッドセットコンピュータを装着している可能性のある時を判定するヘッドセットコンピュータに関し、この状況が検出されると、１つ以上のセキュリティ機能がイネーブルとなる。
【０００４】
ヘッドセットコンピュータ（ＨＳＣ）は、個人攻撃等の身を脅かす状況を検出する１つ以上のセンサと、カメラと、マイクロフォンと、加速度センサおよび位置センサ等のセンサと、さらには音声認識、音声分析、およびジェスチャ認識等のユーザインターフェース機能とを含む。
【０００５】
一実施例において、特定の口頭表現および／またはハンドジェスチャが、緊急対応モードを作動させる。この緊急対応モードにおいて、ＨＳＣは、例えば、マイクロフォンおよび／またはカメラをオンにしてオーディオおよび／またはビデオを記録する、無音のワイヤレス通話を作動させてサービスプロバイダおよび／または緊急機関に警報を出す等の、ある特定の機能を作動させる、または、例えば、記録したオーディオおよび／またはビデオをブロードキャストする、検出されたバイオメトリクスおよび／またはＨＳＣの近傍において検出された緊急事態に関する位置情報をブロードキャストする等の、さらに高性能な機能を作動させる。ブロードキャスティングの代わりにオーディオ／ビデオのストリーム配信を代替手段として用いてもよい。
【０００６】
このモードにおいて、ＨＳＣを用いて、敵対する人物が所有するワイヤレスデバイスを遠隔操作して、その人物の個人ＩＤ、連絡先、通話、およびｅ−ｍａｉｌ等の更なる情報を得ることもできる。
【０００７】
これらの特定の緊急機能によって、サービスプロバイダまたは緊急事態対応者は、ＨＳＣの位置を追跡および判定すること、法的執行機関の当局者によるさらなる追跡のために事象を記録および文書化すること、および／または個人攻撃に対する他の適切な対応をサポートすることができる。
【０００８】
これらの機能は、一般的に、特定の機能が作動されたことにＨＳＣの所有者を攻撃する敵対者が気付かないような方法で操作されることが好ましい。
【０００９】
さらに詳細には、誰かがヘッドセットコンピュータをその所有者から取り外そうとする状況を考える。これは、一般的に、この所有者が悪条件の環境にあるまたは誰かと対面下にある、おそらくは人の携帯電話を盗む暴漢や盗人によく共通するように強奪されている最中であることを意味する。明確にするために、以下では、本来の／正当なユーザを、「ユーザ」と呼び、盗人／正当でないユーザを「盗人」と呼ぶ。
【００１０】
盗人は、そのデバイスを使用するという即座の満足を求めているが、そのデバイスはそれ自体どのようにしても停止状態にあるまたは操作不可能とされている場合、盗人は、動揺すると思われ、起こり得る結果は、盗人がそのデバイスを壊す、またはもしかするとその所有者に危害を加えることであろう。ここで述べる手法は、特定のユーザが分かっている発言（パスワード）または一組のジェスチャを用いて緊急対応モードを作動させることを可能とすることである。このモードにおいて、多数の機能が無音で作動される。
【００１１】
無音の通話は、北米の９１１番の緊急事態対応者になされ得る。
【００１２】
カメラはオンにされて、カメラが捉える全ての顔についてのバイオメトリクスを得ることができる、またはライブ（リアルタイム）のストリーミングビデオを無線サービスプロバイダコールセンタおよび／または警察にブロードキャストでき、または保存できる。
【００１３】
マイクロフォンはオンにされて、マイクロフォンが認識する全てのボイスについてのバイオメトリクスを得ることができる、またはライブのストリーミングオーディオを無線サービスプロバイダコールセンタおよび／または警察にブロードキャストでき、または保存できる。
【００１４】
ＧＰＳおよび／または他の位置センサは、直接、サービスプロバイダコールセンタおよび／または警察に位置情報を送信できる。
【００１５】
この手法は、ＨＳＣの所有者が自分のデバイスを制御することと、出来る限り少ないストレスでおよび出来る限り少ない身体への危害でその状況から逃げることとを可能にし、当該技術、無線サービスプロバイダ、および警察がこの状況に対処することを可能にする。
【００１６】
緊急対応モードはまた、盗人が気づくことなくＨＳＣの機能のすべてにわたる遠隔制御を可能にする。例えば、令状を取得して、法的執行機関職員は、盗まれたＨＳＣを操作して、近傍に他のワイヤレスデバイスがないか走査し、その他のワイヤレスデバイスとペアリングして、それらのデバイスを通じて遠隔制御を行使してもよい。次いでペアリングした盗人のワイヤレスデバイスから、例えば、電話の通話履歴、テキストメッセージ、ｅ−ｍａｉｌ、連絡先リスト等のデータをコピーして、さらに犯罪者を逮捕することを援助することができる。
【００１７】
さらなる遠隔操作機能を、ＨＳＣにリモートで送信可能なパスワードを介して作動させて、デバイスが盗まれて緊急事態が収まった後に、盗人が作動させたパスワードまたは音声認識の設定等をオーバーライドすなわち無効としてもよい。このようにして、すべてのＨＳＣ機能が、サービスプロバイダ、警察、またはユーザの遠隔制御のもと、もたらされる。ＨＳＣは、現場で動作を続け、ヘッドセットを盗んだ盗人は基本的に、デバイスの電源が入っている限り、ＨＳＣが遠隔監視および制御されることを止めることはできない。
【００１８】
ＨＳＣは、また、ワイヤレス接続性の走査、例えば、ＷｉＦｉおよびブルートゥース（登録商標）のリソースの走査を行って、盗まれたＨＳＣのすぐ近くにおけるブルートゥース（登録商標）およびＷｉＦｉデバイスおよびリソースを特定してもよい。この追加の情報を用いて、紛失したヘッドセットや盗まれたヘッドセットをさらに追跡し、捜索し、そのヘッドセットを取り戻す能力を高めることができる。
【００１９】
さらに、「ワイヤレスコンピューティングヘッドセット」デバイスは、画像を拡大する１つ以上の小型高解像度マイクロディスプレイおよび光学系を含む。ＷＶＧＡマイクロディスプレイは、スーパービデオグラフィックスアレイ（ＳＶＧＡ）（８００×６００）解像度またはエクステンデッドグラフィックスアレイ（ＸＧＡ）（１０２４×７６８）解像度またはさらに高い解像度を提供できる。ワイヤレスコンピューティングヘッドセットは、データ転送およびストリーミングビデオ能力を可能にする１つ以上のワイヤレスコンピューティングインターフェースおよび通信インターフェースを含み、手に依存するデバイスより高い利便性および可動性を提供する。このようなデバイスに関するさらなる情報については、２００９年１月５日に出願されたJacobsenらによる「Mobile Wireless Display Software Platform for Controlling Other Systems and Devices」と題された米国同時係属特許出願第１２/３４８,６４６号、２００９年３月２７日に出願された、「Handheld Wireless Display Devices Having High Resolution Display Suitable For Use as a Mobile Internet Device」と題されたＰＣＴ国際出願第ＰＣＴ／ＵＳ０９／３８６０１号、および２０１２年４月２５日に出願された「Improved Headset Computer」と題された米国特許出願第６１/６３８,４１９号を参照されたい。各出願は、その全体が参照により本明細書に組み込まれる。
【課題を解決するための手段】
【００２０】
本発明により提案される手法は、ヘッドセットコンピュータの動作を制御する方法を含み、前記方法は、差し迫った緊急事態を示す入力であって、本来のユーザからの一定の入力（certain input）を受信することと、前記本来のユーザからの前記受信した一定の入力に応じて、緊急対応モードを作動させて、それによって、標準的なヘッドセットコンピュータの機能は、前記本来のユーザまたは他のユーザのどちらかが用いるために作動させた（active）ままであるが、以下の１つ以上の機能を行わせることとを含む。すなわち、
【００２１】
オーディオまたはビデオストリーム（ライブのデータ）のうちの少なくとも１つを取り込むこと。
【００２２】
取り込んだ画像と１つ以上のテンプレート画像とを比較して、近傍にいる１人以上の人物の画像バイオメトリック同定データを決定すること。
【００２３】
現在などの位置情報を決定すること。ならびに、
【００２４】
前記取り込んだオーディオまたはビデオストリームデータ、前記決定したバイオメトリック同定データ、および前記決定した位置情報のうちの少なくとも１つを、サービスプロバイダ、法的執行機関、およびセキュリティ組織のうちの少なくとも１つに転送すること。
【００２５】
前記１つ以上の機能が、さらに、取り込んだボイスオーディオデータと１つ以上のテンプレートボイスとを比較して、前記近傍にいる１人以上の人物のボイスバイオメトリック同定データを決定することを含む方法を、提案される手法がさらに含む。前記１つ以上の機能が、前記ヘッドセットコンピュータの所定（例えば予め定められた閾値）の近傍内で１つ以上のワイヤレスデバイスを特定することをさらに含む方法を、提案される手法がさらに含む。提案される手法は、さらに、前記ヘッドセットコンピュータを前記特定した１つ以上のワイヤレスデバイスのうちの少なくとも１つと自動的にペアリングする。前記１つ以上の機能が、前記特定した１つ以上のワイヤレスデバイスのうちのペアリングされたものから、個人情報をコピーすることをさらに含む方法を、提案される手法がさらに含む。前記１つ以上の機能が、前記他のユーザによってなされたパスワードの変更をオーバーライドすることをさらに含む方法を、提案される手法がさらに含む。
【００２６】
前記本来のユーザからの前記受信した一定の入力が、口頭によるフレーズ、頭部の動き、またはハンドジェスチャを含む方法を、提案される手法がさらに含む。前記本来のユーザからの前記受信した一定の入力が、画像、音、地理的位置、周りを含めた全体的位置、方位、大気状態、圧力、健康状態、環境、エネルギー、加速度、高度、運動、速度、速さ、または可視光、赤外線および紫外線を含む光、を含む方法を、提案される手法がさらに含む。前記１つ以上の機能が、前記他のユーザが、前記１つ以上の機能が行われることに気付かないように、内密の様式で行われる方法を、提案される手法がさらに含む。
【００２７】
提案される手法は、ヘッドセットコンピュータの動作を制御する装置を含み、前記装置は、差し迫った緊急事態を示す入力であって、本来のユーザからの一定の入力を受信する受信ユニットと、前記本来のユーザからの前記受信した一定の入力に応じて、緊急対応モードを作動させて、それによって、標準的なヘッドセットコンピュータの機能は、前記本来のユーザまたは他のユーザのどちらかが用いるために作動させたままであり、以下の１つ以上の機能を行わせる対応作動ユニットとを備える。すなわち、
【００２８】
オーディオまたはビデオのストリームおよび／またはデータのうちの少なくとも１つを取り込むこと。
【００２９】
取り込んだ画像と１つ以上のテンプレート画像とを比較して、近傍にいる１人以上の人物の画像バイオメトリック同定データを決定すること。
【００３０】
位置情報を決定すること。ならびに、
【００３１】
前記取り込んだオーディオまたはビデオストリーム、前記決定したバイオメトリック同定データ、および前記位置情報のうちの少なくとも１つを、サービスプロバイダ、法的執行機関、およびセキュリティ組織のうちの少なくとも１つに転送すること。
【００３２】
提案される手法は、前記対応作動ユニットが、取り込んだボイス（オーディオ）データと１つ以上のテンプレートボイスとを比較して、前記近傍にいる１人以上の人物のボイスバイオメトリック同定データを決定する装置を、さらに含む。提案される手法は、前記対応作動ユニットが、前記ヘッドセットコンピュータの所定の（例えば予め定められた）近傍内で１つ以上のワイヤレスデバイスを特定する装置を、さらに含む。
【００３３】
提案される手法は、前記対応作動ユニットが、前記ヘッドセットコンピュータを前記特定した１つ以上のワイヤレスデバイスのうちの少なくとも１つと自動的にペアリングする装置を、さらに含む。提案される手法は、前記対応作動ユニットが、前記特定した１つ以上のワイヤレスデバイスのうちのペアリングされたものから、個人情報をコピーする装置を、さらに含む。提案される手法は、前記対応作動ユニットが、前記他のユーザによってなされたパスワードの変更をオーバーライドする装置を、さらに含む。
【００３４】
提案される手法は、前記本来のユーザからの前記受信した一定の入力が、口頭によるフレーズ、頭部の動き、またはハンドジェスチャを含む装置を、さらに含む。提案される手法は、前記本来のユーザからの前記受信した一定の入力が、画像、音、地理的位置、周りを含めた全体的位置、方位、大気状態、圧力、健康状態、環境、エネルギー、加速度、高度、運動、速度、速さ、または可視光、赤外線および紫外線を含む光、を含む装置を、さらに含む。提案される手法は、前記他のユーザが前記１つ以上の機能が行われることに気付かないように、前記対応作動ユニットによって内密の様式で前記１つ以上の機能が行われる装置を、さらに含む。
【図面の簡単な説明】
【００３５】
上記は、以下の本発明の例示的な実施形態のさらに具体的な説明から明らかになるであろう。添付図面において、異なる図全体にわたり、同様の部分は同様の参照符号で示す。図面は必ずしも原寸に比例しておらず、本発明の実施形態の説明に重点が置かれている。
【図１Ａ】本発明の原理によるヘッドセットコンピュータおよびホストコンピュータ（例えば、スマートフォン、ラップトップコンピュータ等）と協働するヘッドセットコンピュータの例示的な実施形態を示す。
【図１Ｂ】本明細書で述べる手法が実装され得るヘッドセットコンピュータの一の種類の斜視図である。
【図２Ａ】図１Ａ〜１Ｂの実施形態におけるデータの流れと制御を示すブロック図である。
【図２Ｂ】ヘッドセットコンピュータのコンポーネントに関する電子システムのハイレベルブロック図である。
【図３】緊急対応状況が検出される場合に操作を制御するようにヘッドセット内のプロセッサによって実行される処理のフロー図である。
【発明を実施するための形態】
【００３６】
図１Ａおよび１Ｂは、高解像度（ＶＧＡまたはそれ以上）マイクロディスプレイ要素１０１０と以下に記載の他の機能とを組み込んだワイヤレスコンピューティングヘッドセットまたはヘッドマウントデバイス１００（本明細書においてヘッドセットコンピュータ（ＨＳＣ）ともいう）の例示的な実施形態を示す。ＨＳＣ１００は、以下を有する音声入力デバイスおよび／または音声出力デバイスを含んでよい：ヘッドセットに組み込まれおよび／または統合された、および／または１つ以上の周辺機器ポートを介してデバイスに取り付けられた、１つ以上のマイクロフォン、スピーカ、地理測位センサ（ＧＰＳ）、３軸〜９軸自由度方位センサ、大気センサ、健康状態センサ、デジタルコンパス、圧力センサ、環境センサ、エネルギーセンサ、加速度センサ、位置用、姿勢または高度用、運動用、速度用および／もしくは光用センサ、カメラ（可視光、赤外線等）、多数のワイヤレス無線、補助照明、距離計、等、ならびに／またはセンサのアレイ（図１Ｂでは詳細は不図示）。ヘッドセットコンピューティングデバイス１００の筐体内に典型的に配置されるのは、マイクロコンピュータ（シングルまたはマルチコアプロセッサ）、１つ以上の有線および／または無線通信インターフェース、メモリまたは記憶装置、さまざまなセンサ、および符号１０２０での「ホットシュー」等の周辺マウントを含むさまざまな電子回路である。
【００３７】
ＨＳＣ１００の例示的な実施形態は、ボイスコマンド、頭部の動き１１０、１１１、１１２、およびハンドジェスチャ１１３の感知、またはこれらの任意の組み合わせにより、ユーザ入力を受け入れ可能である。ＨＳＣ１００に操作可能に接続され、または好ましくはＨＳＣ１００に統合されたマイクロフォン（複数可）は、音声コマンドを捉えるのに用いることができ、そしてそれらの音声コマンドは、自動音声認識技術を用いてデジタル化されて処理される。ジャイロスコープ、加速度計、および他のマイクロ−電子機械的システムセンサは、ＨＳＣ１００に統合され、ユーザの頭部の動きを追跡するのに用いられて、ユーザ入力コマンドを提供することができる。カメラ１０２０または他の運動追跡センサは、ユーザ入力コマンドのためのユーザのハンドジェスチャをモニタするのに用いられ得る。このようなユーザインターフェースは、他のモバイルデバイスの手に依存する形態を克服する。
【００３８】
ヘッドセットコンピューティングデバイス１００は、様々な方法で用いられ得る。ヘッドセットコンピューティングデバイス１００は、リモートホストコンピューティングデバイス２００から受信するストリーミングビデオ信号のためのリモートディスプレイとして用いられ得る（図１Ａに示す）。ホスト２００は、例えば、ラップトップコンピュータ、ノートＰＣ、携帯電話、スマートフォン、タブレットデバイス、他のＨＳＣ１００、または、ワイヤレスコンピューティングヘッドセットデバイス１００よりも計算量が少ないもしくは多いその他のコンピューティングデバイス（クラウドベースネットワークリソース等）であってもよい。さらに、ホストは、インターネット等の他のネットワーク２１０に接続されてもよい。ヘッドセットコンピューティングデバイス１００およびホスト２００は、ブルートゥース（登録商標）、Ｗｉ−Ｆｉ（登録商標）、セルラー、ＬＴＥ、ＷｉＭＡＸ、または他のワイヤレス無線リンク１５０等の１つ以上の無線プロトコルを介して、ワイヤレスで通信してもよい。（ブルートゥースは、ワシントン州カークランド、レイク・ワシントン・ブールバード５２０９のBluetooth Sig, Inc.の登録商標である。Ｗｉ−Ｆｉは、テキサス州オースチンのWi-Fi Alliance Corporationの登録商標である。）例示的な実施形態において、ホスト２００は、例えば、インターネットまたは他のクラウドベースネットワークリソースへのワイヤレス接続を介する等により、他のネットワークにさらに接続されてもよく、それによって、ホスト２００がワイヤレス中継器として機能できる。代替的に、ＨＳＣ１００のいくつかの例示的な実施形態は、ホストワイヤレス中継器を使用することなくインターネットおよびクラウドベースネットワークリソースにワイヤレス接続してもよい。
【００３９】
図１Ｂは、ヘッドセットコンピュータ１００の例示的な実施形態のいくつかの詳細を示す斜視図である。例示的なＨＳＣ１００は、一般的に、フレーム１０００と、ストラップ１００２と、筐体部１００４と、スピーカ（複数可）１００６と、カンチレバーまたはアーム１００８と、マイクロディスプレイサブアセンブリ１０１０と、カメラ１０２０と、を含む。また、筐体１００４内には、すぐに理解されるように、マイクロコンピュータ（シングルまたはマルチコア）と、１つ以上の有線もしくは無線インターフェースおよび／または光学インターフェースと、付随するメモリおよび／または記憶装置と、さまざまなセンサとを含む種々の電子回路が配置される。
【００４０】
電子回路は、マイクロディスプレイ要素１０１０のためのディスプレイドライバと、以下を含む入力および／または出力デバイスとを含む：ヘッドセットフレームに組み込まれ、および／または１つ以上の周辺機器ポートを介して取り付けられた、１つ以上のマイクロフォン（複数可）、スピーカ（複数可）、地理測位センサ、３軸〜９軸自由度方位検知センサ、大気センサ、健康状態センサ、ＧＰＳ、デジタルコンパス、圧力センサ、環境センサ、エネルギーセンサ、加速度用、位置用、高度用、運動用、速度用もしくは光用センサ、カメラ（可視光、赤外線（ＩＲ）、紫外線（ＵＶ）等）、付加のワイヤレス無線（ブルートゥース（登録商標）、Ｗｉ−Ｆｉ（登録商標）、ＬＴＥ、３Ｇセルラー、４Ｇセルラー、ＮＦＣ、ＦＭ等）、補助照明、距離計、等、および／またはセンサのアレイ。（ブルートゥースは、ワシントン州カークランドのBluetooth Sig, Inc.の登録商標であり、Ｗｉ−Ｆｉは、テキサス州オースチンのWi-Fi Alliance Corporationの登録商標である。）
【００４１】
ＨＳＣは、図示するようなヘッドマウントコンピュータだけでなく、ウェアラブルコンピュータ、デジタルアイウェア、電子めがね等のさまざまな物理的形態、および他の形態で具現化されてもよい。
【００４２】
また、ＨＳＣ１００内には、すぐに理解されるように、マイクロコンピュータ（シングルまたはマルチコア）、１つ以上のワイヤレスインターフェース、付随するメモリもしくは他の記憶装置、１つ以上のカメラ（光センサ）、および／または先に述べたさまざまなセンサを含む回路が配置される。カメラ（複数可）１０２０、運動センサ（複数可）、および／または位置センサ（複数可）は、ユーザの頭部、手、および／または体における、動きおよび／または位置を、少なくとも第１軸１１０（水平）において、好ましくは第２軸（垂直）１１２、第３軸（奥行き）１１３、第４軸（ピッチ）、第５軸（ロール）、および第６軸（ヨウ）においても、追跡するために用いられる。３軸磁気計（デジタルコンパス）を、ワイヤレスコンピューティングヘッドセットまたは周辺機器に完全な９軸自由度位置精度を提供するために付加してもよい。
【００４３】
ＨＳＣ１００は、また、少なくとも１つのマイクロフォンと、音声認識のための対応する電子機器および／またはプログラマブルプロセッサとを含む。音声は、ＨＳＣ１００に対する一次入力インターフェースであってよい。ＨＳＣ１００は、ユーザのボイスを検知し、ユーザのボイスとは異なるボイスを検知し、音声認識を用いて、コマンドを導き出すことができる。そして、ＨＳＣ１００は、音声認識から導き出されたコマンドを用いてさまざまな機能を実行する。
【００４４】
さまざまな種類のアクセサリを、符号１０２０においてポートとともに用いて、手の動き、頭部の動き、および／または音声入力を、次のものに限定はされないが、マイクロフォン、位置センサ、方位センサ、および先に述べた他のセンサ、カメラ、スピーカ等のシステムに提供してもよい。符号１０２０におけるような周辺機器ポート（複数可）の位置は、使用するアクセサリのさまざまな種類に応じておよびＨＳＣ１００の他の実施形態に従って変更してもよいことを理解されたい。
【００４５】
頭部装着フレーム１０００およびストラップ１００２は、概して、ユーザがヘッドセットコンピュータデバイス１００をユーザの頭部に装着できるように構成されている。筐体１００４は、概して、マイクロプロセッサ、メモリまたは他の記憶装置、低電力ワイヤレス通信装置（複数可）等の電子機器を、他の付随する回路とともに収容する。スピーカ１００６は、例えばマルチメディア・プレゼンテーションに含まれるオーディオ部分、またはユーザコマンドの認識を伝達する音声警報もしくはフィードバック等の情報がユーザに聞こえるように、ユーザに対してオーディオ出力を提供する。マイクロディスプレイサブアセンブリ１０１０は、視覚情報をユーザに表示するために用いられる。マイクロディスプレイサブアセンブリ１０１０は、アーム１００８に接続される。アーム１００８は、概して、マイクロディスプレイサブアセンブリがユーザの視野３００内（図１Ａ）、好ましくはユーザの目の前、または好ましくは目より少し下もしくは上の周辺視野内に、配置され得るように、物理的な支持を提供する。また、アーム１００８は、マイクロディスプレイサブアセンブリ１０１０と、筐体ユニット１００４内に収容された制御回路との間の電気的または光学的接続を提供する。
【００４６】
以下にさらに詳細に説明する局面によれば、ＨＳＣディスプレイデバイス１００によって、ユーザは、仮想ディスプレイ４００で区画されたかなり大きいエリア内の視野３００を選択できる。ユーザは、典型的に、視野３００の位置、大きさ（例えば、Ｘ−Ｙまたは３Ｄ範囲）および／または倍率を制御できる。
【００４７】
図１Ａおよび１Ｂに示されるのは、ユーザの顔の前の視野内に片持ちブームで支持される単一の固定ディスプレイ要素を表す単眼マイクロディスプレイを有するＨＳＣ１００である。しかし、遠隔制御ディスプレイデバイスＨＳＣ１００の他の機械的構成も可能であることを理解されたい。
【００４８】
図２Ａは、ＨＳＣデバイス１００、ホスト２００、およびＨＳＣデバイス１００とホスト２００との間で移動するデータの更なる詳細を示すブロック図である。ＨＳＣデバイス１００は、マイクロフォンを介したユーザからの音声入力と、位置および方位センサ、カメラ１０２０、または光センサ（複数可）を介した手の動きまたは体のジェスチャと、３軸〜９軸自由度方位検知等の頭部追跡回路を介した頭部の動きの入力とを受信する。これらのユーザ入力は、ＨＳＣデバイス１００内のソフトウエアによって、コマンド（例えば、キーボードおよび／またはマウスコマンド）に変換され、そのコマンドは、次いでブルートゥース（登録商標）または他のワイヤレスインターフェース１５０を介してホスト２００に送信される。ホスト２００は、次いで、ホスト２００自身のオペレーティングシステム／アプリケーションソフトウェアに従ってこれらの変換されたコマンドを解釈して、さまざまな機能を行う。コマンドの中には、仮想ディスプレイ４００内で視野３００を選択し、この選択された画面データをＨＳＣデバイス１００に返すものがある。このため、非常に大きなフォーマットの仮想ディスプレイエリアは、ホスト２００上で実行されているアプリケーションソフトウェアまたはオペレーティングシステムに関連付けられてもよいことを理解されたい。しかし、視野３００内のこの大きな仮想ディスプレイエリア４００の一部のみが、ＨＳＣデバイス１００のマイクロディスプレイ１０１０に返されて、このマイクロディスプレイ１０１０によって実際に表示される。
【００４９】
一実施形態では、ＨＳＣ１００は、その全体が参照により本明細書に組み込まれる、２０１１年２月１日に出願されたS.Pomboらによる「Wireless Hands-Free Computing Headset With Detachable Accessories Controllable By Motion, Body Gesture And/Or Vocal Commands」と題された本出願人の米国同時係属出願（米国特許出願第１３／０１８，９９９号である）の公開公報第２０１１／０１８７６４０号に記載のＨＳＣの形態をとってもよい。
【００５０】
他の例示的な実施形態において、本発明は、情報およびハンズフリーユーザ制御を提供するために、（スマートフォンまたはタブレット等の）外部の「スマート」デバイス２００と協働するマイクロディスプレイ１０１０を有するＨＳＣ（または頭部装着ディスプレイ（ＨＭＤ））１００を用いる概念に関する。本実施形態は、少ない量のデータを送信することを必要とし、リアルタイムに実行される信頼性を向上したデータ転送方法を提供する。
【００５１】
したがって、この意味において、ワイヤレス接続１５０で送信されるデータの量は少なく、単に、スクリーンをどのようにレイアウトするか、どのテキストを表示するかについての指示、および例えば図面の矢印または背景の色、含める画像等の、他の様式上の情報についての指示である。
【００５２】
図２Ｂは、ヘッドセットコンピュータ１００のコンポーネントのハイレベル（上位）の電子システムのブロック図である。図示するように、コンポーネントは、任意のプログラマブルデジタルコンピュータシステムと同様に、プロセッサ２１００、メモリ２１０２、および大容量記憶装置２１０４を含む。さらに含まれるのは、マイクロディスプレイ２１１０、１つ以上のマイクロフォン２１１２、２１１４、スピーカ２１０６、２１０８、およびワイヤレス通信インターフェース（複数可）２１０５である。
【００５３】
本開示にとって重要であるのは、ＨＳＣ１００は、カメラ２１２０および加速度計２１５０、または他のセンサ２２００（現在の位置情報、動作方向情報、および／または速さ情報を配信できる全地球測位システム（ＧＰＳ）センサ等）も含むことである。
【００５４】
緊急対応モードがＨＳＣ１００によって作動されるべき時を検出するために、プロセッサは、メモリ２１０２および／または他の記憶装置２１０４によって記憶されている命令２５００およびアクセスデータ２５１０を実行する。プロセッサ２１００は、例えば、ソフトウェアコードとして具現化された命令を実行してもよい。プロセッサ２１００は、また、オペレーティングシステム２４００およびオペレーティングシステム２４００のコンテキスト内で実行されるアプリケーション２４１０を用いて、さまざまな機能を提供してもよい。
【００５５】
本明細書において興味深いのは、プロセッサは、また、記憶されている命令２５００を実行して、音声処理２３１０、画像の取込み（キャプチャ）２３５０、および／または画像分析２３６０を行うことである。音声処理２３１０、画像キャプチャ２３５０、および画像分析２３６０は、好ましくはリアルタイムに発生し、そのため、好ましくは、オペレーティングシステム２４００における低レベル（下位）のシステムコール、またはカーネルレベルの機能としてさえ実装される。しかし、いくつかの例において、これらはまた、オペレーティングシステム２４００の上部（上層）で実行されるアプリケーション２４１０として実装されてもよい。
【００５６】
さらに詳細には、プロセッサは、自動的に音声認識機能、画像キャプチャ機能２３５０、および／または画像分析機能２３６０を用いて、優勢な力または威嚇的な力がＨＳＣ１００の装着者を攻撃しているおよび／またはＨＳＣ１００を盗もうとしている可能性のある時を判定し、緊急対応モードを作動させるようにプログラムされる。このモードにおいて、一般的な認識では、ＨＳＣ１００は、継続して通常に動作しているようにみえるが、実は一定のバックグラウンド機能を行っているということである。これにより、ＨＳＣ１００の装着者は、自らのデバイスを用いて近位で制御することをやめ、可能な限り装着者の個人の安全に対する危険を少なくしてその状況から逃げることを可能にし、同時にデバイスに組み込まれた技術がその事象に対応することを支援できる。
【００５７】
図３は、プロセッサ２１００によって実行され得る緊急対応処理のフロー図である。最初のステップ３０１０において、緊急状況を示す一定の（予め定められた）口頭によるフレーズおよび／または頭部もしくは手のジェスチャ（複数可）が検出される。口頭によるフレーズは、ＨＳＣ１００を盗もうとしている盗人に直面している等の自分の個人的な安全を脅かす状況にユーザが遭遇したことを示すようユーザが予め設定した特定のパスフレーズまたはキーワードであってよい。また、フレーズの代わりに、予め定められた頭部および／またはハンドジェスチャも、緊急対応モードを作動させるために用いられてもよい。
【００５８】
こうしたフレーズのようなボイスコマンドは、マイクロフォン（複数可）２１１２、２１１４によって検出され、音声プロセッサ２３１０によって解釈される。一定の入力が、頭部および／またはハンドジェスチャ（複数可）である場合には、この入力はまず画像キャプチャ２３５０で検出され、次いで画像分析２３６０によってさらに検出／判定される。さらに、頭部のジェスチャ（複数可）は、まず、方位センサ２２００によって予め定められた方位の変化によって検出され得る。この一定の入力の他の例は、地理的位置と、周りを含めた全体的位置と、方位と、大気状態、圧力、または健康状態の指示と、環境の指示と、センサ２２００によるエネルギー、加速度、高度、運動、光、または速さ／速度の読み取りとを含む。
【００５９】
緊急対応モードに入ることによって、数々の事が起こる。ステップ３０２０において、追加のセンサおよび／または記録機能がイネーブルとされる。この間、ステップ３０２５において、通常のユーザインターフェース機能は継続する。これによって、緊急モードに入っても、特定のモードが作動されたことをとりたてて知らされることはない潜在的に敵対する人物、すなわち盗人、に知られないでその盗人に使用させるためにＨＳＣ１００のすべての通常の動作機能は作動されたままとできる。
【００６０】
センサおよび／または記録装置をイネーブルにすると、更なるさまざまな機能が実行され得る。ステップ３０２０の機能に加えて、ステップ３０２５、３０３０、３０４０、３０５０、３０６０、３０６２のうちの１つ以上が同時にまたは同時ではない他の方法で行われ得る。
【００６１】
例えば、ステップ３０３０において、位置情報が、搭載されたＧＰＳおよび／またはデジタルコンパス経由でブロードキャストされ、利用可能となる。
【００６２】
ステップ３０４０において、オーディオおよび／またはビデオは、カメラおよびマイクロフォン（複数可）を通じて記録される。
【００６３】
ステップ３０５０において、記録されたオーディオおよび／またはビデオストリーム（またはデータ）は、ブロードキャストされる。
【００６４】
ステップ３０３０または３０５０におけるブロードキャストは、無線サービスプロバイダまたは法的執行機関へなされてもよく、または無線サービスプロバイダを通して間接的に法的執行機関へなされてもよい。
【００６５】
これにより、緊急の状況において、ＨＳＣ１００の所有者は、ＨＳＣ１００を使用した物理的制御を速やかにやめて、この状況から逃げて、自分自身への身体的な危害を最小限に抑えることができる。この間、ＨＳＣ１００は、その位置およびコンパスの向きのブロードキャストも行いながら、記録および報告機能と、周囲のボイスのサンプリングおよび記録と、危険な状態や盗人に直面している間または盗みをしようとしている間に顔の写真を撮ることと、キャプチャした人物の顔および／またはボイスのそれぞれに関するバイオメトリクスを検出しブロードキャストすることとを、緊急対応モードにおいて内密に始める。
【００６６】
無線サービスプロバイダは、次いでこの（中継）情報を法的執行機関の当局者に渡してもよく、それによって、当局者は、ライブのおよび／または記録されたオーディオおよび／またはビデオストリームを聴取して盗まれたヘッドセットを取り戻すことを試み、次に起こりうるあらゆる攻撃または人身への傷害の訴追のために容疑者（たち）を捕えることができる。
【００６７】
この情報によって、法的執行機関が、捜索令状を得ることもできるであろう。この令状を取得して、ＨＳＣ１００のさらなる機能が利用できる。ステップ３０６０の例において、ＨＳＣ１００は、盗人の近くにある他のワイヤレスデバイスに対するリモコン装置として利用することもできる。ＨＳＣ１００は、他のワイヤレスデバイス、携帯電話、パソコン等とペアリングしてもよく、それぞれ法的執行機関をさらに支援するであろう、盗人の連絡先リスト、過去の電話の通話、ｅ−ｍａｉｌ、テキストメッセージ等の盗人についての情報を記録／コピー３０６２してもよい。
【００６８】
さらなる遠隔操作機能を、ＨＳＣにリモートで送信可能なパスワードを介して作動させて、デバイスが盗まれて緊急事態が収まった後に、盗人が作動させたパスワードまたは音声認識の設定等をオーバーライドしてもよい。このように、すべてのＨＳＣの機能が、サービスプロバイダ、警察、またはユーザの遠隔制御のもとでもたらされる。ヘッドセットを盗んだ盗人は、これにより、電力がＨＳＣに供給されている限り、ＨＳＣが遠隔監視および制御されることを容易に止めることは出来ない。
【００６９】
ＨＳＣは、また、ワイヤレス接続性の走査、例えば、ＷｉＦｉおよびブルートゥース（登録商標）リソース走査を行って、盗まれたＨＳＣのすぐ近くにおけるブルートゥース（登録商標）やＷｉＦｉのデバイスやリソースを特定してもよい。この追加の情報を用いて、紛失したヘッドセットや盗まれたヘッドセットをさらに追跡し、捜索し、そのヘッドセットを取り戻す能力を高めることができる。
【００７０】
上述の例示的な実施形態は多くの異なる様式で実施できることを理解されたい。いくつかの例では、本明細書で記述したさまざまな「データプロセッサ」は、それぞれ、中央処理装置と、メモリと、ディスクまたは他の大容量記憶装置と、通信インターフェース（複数可）と、入力／出力（Ｉ／Ｏ）デバイス（複数可）と、他の周辺機器とを有する、物理的または仮想汎用コンピュータによって実現できる。汎用コンピュータは、プロセッサに変形されて、例えば、ソフトウエア命令を該プロセッサにロードして、次いでこの命令を実行させて、記述された機能を実行することにより、上述の処理を実行する。
【００７１】
この分野で知られているように、そのようなコンピュータは、システムバスを含み得る。バスは、コンピュータまたは処理システムのコンポーネント間のデータ転送に用いられるハードウエアの線の集合である。バス（複数可）は、コンピュータシステムの異なる要素（例えば、プロセッサ、ディスク記憶装置、メモリ、入力／出力ポート、ネットワークポート等）間で情報の転送を可能にし、当該要素を接続する、本質的に共有されるコンジット（複数可）である。１つ以上の中央処理装置ユニットがシステムバスに取り付けられ、コンピュータ命令の実行に供される。また、システムバスには、典型的には、コンピュータにさまざまな入力および出力デバイス（例えば、キーボード、マウス、ディスプレイ、プリンタ、スピーカ、等）を接続するためのＩ／Ｏデバイスインターフェースも取り付けられる。ネットワークインターフェース（複数可）により、コンピュータは、ネットワークに取り付けられたさまざまな他のデバイスに接続できる。メモリは、実施形態を実施するために用いられるコンピュータソフトウエア命令およびデータのための揮発性記憶を提供する。ディスクまたは他の大容量記憶装置は、例えば本明細書で記述したさまざまな手順を実施するために用いられるコンピュータソフトウエア命令およびデータのための不揮発性記憶を提供する。
【００７２】
したがって、実施形態は、典型的には、ハードウエア、ファームウエア、ソフトウエア、またはこれらの任意の組み合わせによって、実施してもよい。
【００７３】
一定の実施形態では、本明細書で記載した手順、デバイス、および処理は、コンピュータプログラム（製品）であり、プログラム製品には、システムのためのソフトウエア命令の少なくとも一部を提供するコンピュータ読取り可能な媒体（例えば、１つ以上のＤＶＤ−ＲＯＭ、ＣＤ−ＲＯＭ、ディスケット、テープ等の取り外し可能な記憶媒体等）が含まれる。そのようなコンピュータプログラム（製品）は、この分野で周知のように、任意の適切なソフトウエアインストレーション手順によってインストールできる。他の実施形態では、少なくともソフトウエア命令の一部が、ケーブル、通信および／またはワイヤレス接続を介してダウンロードされてもよい。
【００７４】
実施形態は、１つ以上の手順によって読み取られ実行され得る、非一時的マシン読取り可能な媒体に記憶された命令として実施されてもよい。非一時的マシン読取り可能な媒体は、マシン（例えば、コンピューティングデバイス）によって読取り可能な形態で、情報を記憶または送信するための任意の機構を含み得る。例えば、非一時的マシン読取り可能な媒体には、リードオンリーメモリ（ＲＯＭ）；ランダムアクセスメモリ（ＲＡＭ）；磁気ディスク記憶媒体を含む記憶装置；光学記憶媒体；フラッシュメモリデバイス；その他が含まれ得る。
【００７５】
さらに、ファームウエア、ソフトウエア、ルーチン、または命令は、一定のアクションおよび／または機能を行うように、本明細書で記載されうる。しかし、本明細書に含まれるそのような記載は、便宜上のためだけのものであって、そのようなアクションは実際には、ファームウエア、ソフトウエア、ルーチン、命令等を実行するコンピューティングデバイス、プロセッサ、コントローラ、または他のデバイスから生じることを理解されたい。
【００７６】
また、ブロック図およびネットワーク図に含まれる要素はこれよりも多くても少なくてもよく、異なるように配置されてもよく、また異なるように表現されてもよいことも、理解されたい。しかし、実施内容により、ブロック図およびネットワーク図に影響を与え、実施形態の実行を示すブロック図およびネットワーク図の数が、特定の方法で実現されて決定され得ることをさらに理解されたい。
【００７７】
したがって、さらなる実施形態は、さまざまなコンピュータアーキテクチャ、物理的コンピュータ、仮想的コンピュータ、クラウドコンピュータ、および／またはこれらの組み合わせで実施されてもよく、したがって、本明細書で記載したコンピュータシステムは、例示のみを意図しており、実施形態の限定を意図するものではない。
【００７８】
本発明をその例示的な実施形態を参照しつつ具体的に示して説明してきたが、添付の特許請求の範囲に包含される本発明の範囲を逸脱することなく、さまざまな形の変更および詳細化がなされ得ることが、当業者によって理解されるであろう。
【００７９】
本明細書に引用されるすべての特許、公開された出願および参考文献の内容の全てが、引用によりここに組み込まれる。
なお、本発明は、実施の態様として以下の内容を含む。
［態様１］
ヘッドセットコンピュータの動作を制御する方法であって、
差し迫った緊急事態を示す入力であって、本来のユーザからの一定の入力を受信することと、
前記本来のユーザからの前記受信した一定の入力に応じて、緊急対応モードを作動させて、それによって、標準的なヘッドセットコンピュータの機能は、前記本来のユーザまたは他のユーザのどちらかが用いるために作動させたままであるが、以下の１つ以上の機能を行わせることとを含み、
前記１つ以上の機能は、
オーディオまたはビデオストリームのうちの少なくとも１つを取り込むことと、
取り込んだ画像と１つ以上のテンプレート画像とを比較して、近傍にいる１人以上の人物の画像バイオメトリック同定データを決定することと、
位置情報を決定することと、
前記取り込んだオーディオまたはビデオストリーム、前記決定したバイオメトリック同定データ、および前記位置情報のうちの少なくとも１つを、サービスプロバイダ、法的執行機関、およびセキュリティ組織のうちの少なくとも１つに転送することである、
方法。
［態様２］
態様１に記載の方法において、前記１つ以上の機能は、取り込んだボイスオーディオデータと１つ以上のテンプレートボイスとを比較して、前記近傍にいる１人以上の人物のボイスバイオメトリック同定データを決定することをさらに含む、
方法。
［態様３］
態様１または２に記載の方法において、前記１つ以上の機能は、前記ヘッドセットコンピュータの所定の近傍内で１つ以上のワイヤレスデバイスを特定することをさらに含む、
方法。
［態様４］
態様３に記載の方法において、前記ヘッドセットコンピュータを前記特定した１つ以上のワイヤレスデバイスのうちの少なくとも１つと自動的にペアリングすることをさらに含む、
方法。
［態様５］
態様４に記載の方法において、前記１つ以上の機能は、前記特定した１つ以上のワイヤレスデバイスのうちのペアリングされたものから、個人情報をコピーすることをさらに含む、
方法。
［態様６］
態様１から５のいずれか一態様に記載の方法において、前記１つ以上の機能は、前記他のユーザによってなされたパスワードの変更をオーバーライドすることをさらに含む、
方法。
［態様７］
態様１から６のいずれか一態様に記載の方法において、前記本来のユーザからの前記受信した一定の入力は、口頭によるフレーズ、頭部の動き、またはハンドジェスチャを含む、
方法。
［態様８］
態様１から７のいずれか一態様に記載の方法において、前記本来のユーザからの前記受信した一定の入力は、画像、音、地理的位置、周りを含めた全体的位置、方位、大気状態、圧力、健康状態、環境、エネルギー、加速度、高度、運動、速度、速さ、または、可視光、赤外線および紫外線を含む光、を含む、
方法。
［態様９］
態様１から８のいずれか一態様に記載の方法において、前記１つ以上の機能は、前記他のユーザが、前記１つ以上の機能が行われることに気付かないように、内密の様式で行われる、
方法。
［態様１０］
ヘッドセットコンピュータの動作を制御する装置であって、
差し迫った緊急事態を示す入力であって、本来のユーザからの一定の入力を受信する受信ユニットと、
前記本来のユーザからの前記受信した一定の入力に応じて、緊急対応モードを作動させて、それによって、標準的なヘッドセットコンピュータの機能は、前記本来のユーザまたは他のユーザのどちらかが用いるために作動させたままであり、以下の１つ以上の機能を行わせる対応作動ユニットとを備え、
前記１つ以上の機能は、
オーディオまたはビデオストリームのうちの少なくとも１つを取り込むことと、
取り込んだ画像と１つ以上のテンプレート画像とを比較して、近傍にいる１人以上の人物の画像バイオメトリック同定データを決定することと、
位置情報を決定することと、
前記取り込んだオーディオまたはビデオストリーム、前記決定したバイオメトリック同定データ、および前記位置情報のうちの少なくとも１つを、サービスプロバイダ、法的執行機関、およびセキュリティ組織のうちの少なくとも１つに転送することである、
装置。
［態様１１］
態様１０に記載の装置において、前記対応作動ユニットは、取り込んだボイスオーディオデータと１つ以上のテンプレートボイスとを比較して、前記近傍にいる１人以上の人物のボイスバイオメトリック同定データを決定する、
装置。
［態様１２］
態様１０または１１に記載の装置において、前記対応作動ユニットは、前記ヘッドセットコンピュータの所定の近傍内で１つ以上のワイヤレスデバイスを特定する、
装置。
［態様１３］
態様１２に記載の装置において、前記対応作動ユニットは、前記ヘッドセットコンピュータを前記特定した１つ以上のワイヤレスデバイスのうちの少なくとも１つと自動的にペアリングする、
装置。
［態様１４］
態様１３に記載の装置において、前記対応作動ユニットは、前記特定した１つ以上のワイヤレスデバイスのうちのペアリングされたものから、個人情報をコピーする、
装置。
［態様１５］
態様１０〜１４のいずれか一態様に記載の装置において、前記対応作動ユニットは、前記他のユーザによってなされたパスワードの変更をオーバーライドする、
装置。
［態様１６］
態様１０〜１５のいずれか一態様に記載の装置において、前記本来のユーザからの前記受信した一定の入力は、口頭によるフレーズ、頭部の動き、またはハンドジェスチャを含む、
装置。
［態様１７］
態様１０〜１６のいずれか一態様に記載の装置において、前記本来のユーザからの前記受信した一定の入力は、画像、音、地理的位置、周りを含めた全体的位置、方位、大気状態、圧力、健康状態、環境、エネルギー、加速度、高度、運動、速度、速さ、または、可視光、赤外線および紫外線を含む光、を含む、
装置。
［態様１８］
態様１０〜１７のいずれか一態様に記載の装置において、前記対応作動ユニットは、前記他のユーザが、前記１つ以上の機能が行われることに気付かないように、内密の様式で前記１つ以上の機能を行う、
装置。
【図１Ａ】
0006383724.tif 000002
【図１Ｂ】
0006383724.tif 000003
【図２Ａ】
0006383724.tif 000004
【図２Ｂ】
0006383724.tif 000005
【図３】
0006383724.tif 000006